(57)【要約】      （修正有）【課題】電流探査モードのアーク放電保護装置の提供。【解決手段】電流探査モードのアーク放電保護装置を提供し、それは高圧出力区間において、異常現象により産生するアーク放電に対し、このアーク放電保護装置の電流信号サンプリングユニットを通して、高圧出力区間が産生するアーク放電電流信号を取得する。判読ユニットを経て、判断レベルを提供し、非正常電流周波数信号をフィルター検出した後、さらに整流ユニットで非正常電流周波数信号を受けると共に、整流後、アーク直流信号を出力する。さらにタッチユニットがそのアーク直流信号を受けて駆動すると共に、タッチ信号を出力し、その高圧出力区間を閉鎖し動作を停止する。そして、周辺コンポーネントにアーク放電して、熱蓄積による火花や焼失が発生することを回避することができる。【選択図】図１
0003118849.tif 000002
【実用新案登録請求の範囲】
【請求項１】
高圧出力区間における異常現象によって産生するアーク放電を回避するために用いる電流探査モードのアーク放電保護装置であり、前記高圧出力区間は、電源入力を提供する電源ユニット、電圧分配信号を提供する制御ユニット、前記の電源及び電圧分配信号を受けると共に、電圧転換を行う駆動ユニット、前記の転換後電圧を受けると共に、高圧に変圧する昇圧ユニット、及び前記の昇圧ユニットに接続する高圧出力エンドの負荷を包含し、該アーク放電保護装置は、電流信号サンプリングユニット、判読ユニット、整流ユニット、及びタッチユニットを含み、該電流信号サンプリングユニットは該高圧出力区間に連接すると共に、その高圧出力区間が産生するアーク放電の電流信号を取得し、該判読ユニットは該アーク放電の電流信号を受けると共に、判断レベルを提供し、非正常電流周波数信号をフィルター検出し、該整流ユニットは該判読ユニットの非正常電流周波数信号を受けると共に整流し、且つ、整流後にアーク直流信号を出力し、該タッチユニットは該アーク直流信号を受けて駆動し、その高圧出力区間を閉鎖して動作を停止し、アーク放電の回避を達成することを特徴とする電流探査モードのアーク放電保護装置。
【請求項２】
請求項１の電流探査モードのアーク放電保護装置において、該電流信号サンプリングユニット(２１)に、さらに偏差直流隔離回路が連接されていることを特徴とする、電流探査モードのアーク放電保護装置。
【請求項３】
請求項１或いは２の電流探査モードのアーク放電保護装置において、該判読ユニットは周波数バンドパスフィルタであることを特徴とする電流探査モードのアーク放電保護装置。
【請求項４】
請求項３の電流探査モードのアーク放電保護装置において,該判読ユニットは該偏差直流レベル、及び制御ユニット共振周波数の間の周波数バンドパスフィルタであることを特徴とする電流探査モードのアーク放電保護装置。
【請求項５】
請求項４の電流探査モードのアーク放電保護装置において、制御ユニット共振周波数と、共振周波数偶数次調波の間に、該判読ユニットがさらに周波数バンドパスフィルタを増設していることを特徴とする電流探査モードのアーク放電保護装置。
【請求項６】
請求項４の電流探査モードのアーク放電保護装置において、制御ユニット共振周波数と、共振周波数奇数次調波の間に、該判読ユニットがさらに周波数バンドパスフィルタを増設していることを特徴とする電流探査モードのアーク放電保護装置。
【請求項７】
請求項４の電流探査モードのアーク放電保護装置において、制御ユニット共振周波数偶数次調波と、共振周波数奇数次調波の間に、該判読ユニットがさらに周波数バンドパスフィルタを増設していることを特徴とする電流探査モードのアーク放電保護装置。
【請求項８】
請求項４の電流探査モードのアーク放電保護装置において、該判断レベルは、その制御ユニット共振周波数、共振周波数偶数次調波、共振周波数奇数次調波、偏差直流レベルの任意の２つの判定ポイントから選び、該判断レベルの区間を定義することを特徴とする電流探査モードのアーク放電保護装置。
【請求項９】
請求項１或いは請求項２の電流探査モードのアーク放電保護装置において、該判読ユニットとその整流ユニットとの間に設ける直流比較レベルユニットが、非正常電流周波数信号を産生する時、定電位パルス信号を出力することを特徴とする電流探査モードのアーク放電保護装置。
【請求項１０】
請求項９の電流探査モードのアーク放電保護装置において、該整流ユニットに、その直流比較レベルユニットが出力する定電位パルス信号に対応して、さらにコンデンサを設けていることを特徴とする電流探査モードのアーク放電保護装置。
【考案の詳細な説明】
【技術分野】
【０００１】
本考案は、高圧出力区間における、異常現象によりアーク放電が産生する時、探査並びにタッチする制御信号を提供し、高圧出力区間の高圧出力を停止させる保護装置への応用に関するものである。
【背景技術】
【０００２】
特許文献１及び特許文献２の明細書中、高圧出力区間における、異常現象により産生するアーク放電については、電圧探査モードを採用し、アーク放電保護装置の転圧ユニットを通して、高圧出力区間の高圧アーク放電信号を受けた後、低圧アーク放電信号に転換している。並びに、整流ユニットを通して整流した後、アークノイズを出力し、さらにタッチユニットにより、アークノイズを探査すると共に、タッチ信号を制御ユニット或いは駆動ユニットに対し出力して、動作を停止する。そして、周辺装置にアーク放電して、熱蓄積による火花や焼失が発生することを回避し達成する。
【０００３】
【特許文献１】米国特許第６９４０２３４号明細書
【特許文献２】米国特許第６８６７９５５号明細書
【考案の開示】
【考案が解決しようとする課題】
【０００４】
本考案の主要目的は、上記の欠点を解決し、欠点の存在を避けることにある。本考案は、電流探査モードのアーク放電保護装置を提供し、それは高圧出力区間において、異常現象により産生するアーク放電に対し、このアーク放電保護装置の電流信号サンプリングユニットを通して、高圧出力区間が産生するアーク放電電流信号を取得する。判読ユニットを経て、判断レベルを提供し、非正常電流周波数信号をフィルター検出した後、さらに整流ユニットで非正常電流周波数信号を受けると共に、整流後、アーク直流信号を出力する。さらにタッチユニットがそのアーク直流信号を受けて駆動すると共に、タッチ信号を出力し、その高圧出力区間を閉鎖し動作を停止する。そして、周辺コンポーネントにアーク放電して、熱蓄積による火花や焼失が発生することを回避し達成する。
【０００５】
本考案の電流探査モードは、すでに存在する考案技術の電圧探査モードタイプと比較して、さらに下記の効果を達成する。
【０００６】
（１）電圧探査モードは、高圧信号を低圧信号に転換しなければならず、転換過程中、ノイズ信号がその正確性に干渉しやすい。且つ、後続のタッチユニットが必要とする駆動エネルギーは、高圧出力区間での電圧降下状態時(負荷をバックライト・モニター・モジュールとし、且つそれが必要な輝度を２０%へ降下すると、すなわちその駆動電力も降下する)において、その転換された低圧信号は、駆動エネルギーのため、効果的な保護メカニズムを起動することができない。反対に本考案は、電流探査モードで保護メカニズムを実行し、取得する電流信号の転換において、大幅な上昇下降問題はない。そのため効果的、且つより正確に必要な保護メカニズムを達成する事ができる。
【０００７】
（２）電圧保護モードがプッシュ・プル式(Push-Pull)昇圧ユニットで負荷を駆動する回路に適用される場合、二つの昇圧ユニットの昇圧比に、非正常状態が現れた時(例えば、両者の共振周波数に誤差があるが、この現象は一時的であるとし、異常状態としない場合)、その形成されるノイズ信号は、将来、誤ってアークノイズであると判断され、高圧出力区間の動作が中断される可能性がある。反対に本考案は、電流探査モードで保護メカニズムを行い、続いて設けた偏差直流隔離回路で、この判断ミスの現象を効果的に回避する事ができる。且つ、さらに設けた直流比較レベルユニットで、非正常周波数信号が単一信号であるか連続信号であるか判別し、後続のタッチ信号を産生、その高圧出力区間を閉鎖して動作を停止することで、より正確な制御目的を達成する。
【課題を解決するための手段】
【０００８】
請求項１の考案は、高圧出力区間における異常現象によって産生するアーク放電を回避するために用いる電流探査モードのアーク放電保護装置であり、前記高圧出力区間は、電源入力を提供する電源ユニット、電圧分配信号を提供する制御ユニット、前記の電源及び電圧分配信号を受けると共に、電圧転換を行う駆動ユニット、前記の転換後電圧を受けると共に、高圧に変圧する昇圧ユニット、及び前記の昇圧ユニットに接続する高圧出力エンドの負荷を包含し、該アーク放電保護装置は、電流信号サンプリングユニット、判読ユニット、整流ユニット、及びタッチユニットを含み、該電流信号サンプリングユニットは該高圧出力区間に連接すると共に、その高圧出力区間が産生するアーク放電の電流信号を取得し、該判読ユニットは該アーク放電の電流信号を受けると共に、判断レベルを提供し、非正常電流周波数信号をフィルター検出し、該整流ユニットは該判読ユニットの非正常電流周波数信号を受けると共に整流し、且つ、整流後にアーク直流信号を出力し、該タッチユニットは該アーク直流信号を受けて駆動し、その高圧出力区間を閉鎖して動作を停止し、アーク放電の回避を達成することを特徴とする電流探査モードのアーク放電保護装置としている。
請求項２の考案は請求項１の電流探査モードのアーク放電保護装置において、該電流信号サンプリングユニット(２１)に、さらに偏差直流隔離回路が連接されていることを特徴とする、電流探査モードのアーク放電保護装置としている。
請求項３の考案は請求項１或いは２の電流探査モードのアーク放電保護装置において、該判読ユニットは周波数バンドパスフィルタであることを特徴とする電流探査モードのアーク放電保護装置としている。
請求項４の考案は請求項３の電流探査モードのアーク放電保護装置において,該判読ユニットは該偏差直流レベル、及び制御ユニット共振周波数の間の周波数バンドパスフィルタであることを特徴とする電流探査モードのアーク放電保護装置としている。
請求項５の考案は請求項４の電流探査モードのアーク放電保護装置において、制御ユニット共振周波数と、共振周波数偶数次調波の間に、該判読ユニットがさらに周波数バンドパスフィルタを増設していることを特徴とする電流探査モードのアーク放電保護装置としている。
請求項６の考案は請求項４の電流探査モードのアーク放電保護装置において、制御ユニット共振周波数と、共振周波数奇数次調波の間に、該判読ユニットがさらに周波数バンドパスフィルタを増設していることを特徴とする電流探査モードのアーク放電保護装置としている。
請求項７の考案は請求項４の電流探査モードのアーク放電保護装置において、制御ユニット共振周波数偶数次調波と、共振周波数奇数次調波の間に、該判読ユニットがさらに周波数バンドパスフィルタを増設していることを特徴とする電流探査モードのアーク放電保護装置としている。
請求項８の考案は請求項４の電流探査モードのアーク放電保護装置において、該判断レベルは、その制御ユニット共振周波数、共振周波数偶数次調波、共振周波数奇数次調波、偏差直流レベルの任意の２つの判定ポイントから選び、該判断レベルの区間を定義することを特徴とする電流探査モードのアーク放電保護装置としている。
請求項９の考案は請求項１或いは請求項２の電流探査モードのアーク放電保護装置において、該判読ユニットとその整流ユニットとの間に設ける直流比較レベルユニットが、非正常電流周波数信号を産生する時、定電位パルス信号を出力することを特徴とする電流探査モードのアーク放電保護装置としている。
請求項１０の考案は請求項９の電流探査モードのアーク放電保護装置において、該整流ユニットに、その直流比較レベルユニットが出力する定電位パルス信号に対応して、さらにコンデンサを設けていることを特徴とする電流探査モードのアーク放電保護装としている。
【考案の効果】
【０００９】
本考案の電流探査モードは、すでに存在する考案技術の電圧探査モードタイプと比較して、さらに下記の効果を達成することができる。
（１）電圧探査モードは、高圧信号を低圧信号に転換しなければならず、転換過程中、ノイズ信号がその正確性に干渉しやすい。且つ、後続のタッチユニットが必要とする駆動エネルギーは、高圧出力区間での電圧降下状態時(負荷をバックライト・モニター・モジュールとし、且つそれが必要な輝度を２０%へ降下すると、すなわちその駆動電力も降下する)において、その転換された低圧信号は、駆動エネルギーのため、効果的な保護メカニズムを起動することができない。反対に本考案は、電流探査モードで保護メカニズムを実行し、取得する電流信号の転換において、大幅な上昇下降問題はない。そのため効果的、且つより正確に必要な保護メカニズムを達成することができる。
（２）電圧保護モードがプッシュ・プル式(Push-Pull)昇圧ユニットで負荷を駆動する回路に適用される場合、二つの昇圧ユニットの昇圧比に、非正常状態が現れた時(例えば、両者の共振周波数に誤差があるが、この現象は一時的であるとし、異常状態としない場合)、その形成されるノイズ信号は、将来、誤ってアークノイズであると判断され、高圧出力区間の動作が中断される可能性がある。反対に本考案は、電流探査モードで保護メカニズムを行い、続いて設けた偏差直流隔離回路で、この判断ミスの現象を効果的に回避する事ができる。且つ、さらに設けた直流比較レベルユニットで、非正常周波数信号が単一信号であるか連続信号であるか判別し、後続のタッチ信号を産生、その高圧出力区間を閉鎖して動作を停止することで、より正確な制御目的を達成する。
【考案を実施するための最良の形態】
【００１０】
図１は本考案の第一実施回路のフロー図である。図に示すように、本考案は、電流探査モードのアーク放電保護装置の一種であり、高圧出力区間において、異常現象により産生するアーク放電の回避に用いる。前記の高圧出力区間には下記のものを包括する。電源入力を提供する電源ユニット１０を一つ、電圧分配信号を提供する制御ユニット１１を一つ、前記の電源及び電圧分配信号を受けると共に、電圧転換を行なう駆動ユニット１２を一つ、前記の転換後の電圧を受けると共に、高圧へ変圧する昇圧ユニット１３ａを一つ、及び前記の昇圧ユニット１３ａに続けて設ける、高圧出力エンドの負荷１４ （その負荷１４は高圧駆動を利用する電子製品を指し、冷陰極管、マイナスイオン発生器等とする事ができる）を一つ。（該高圧出力区間の電源入力、電圧分配、転換変圧、及び高圧駆動原理はすでに周知されており、本考案技術の特徴ではないため、以下に述べることはしない。）。
【００１１】
本考案のアーク放電保護装置は、主にその高圧出力区間に連接されると共に、その高圧出力区間が産生するアーク放電電流信号を取得する電流信号サンプリングユニット２１を有する。その電流信号サンプリングユニット２１は、その高圧出力区間に連接するリニア型抵抗線路、或いはコイル型抵抗線路とする事ができ、アーク放電が起こった時、高圧出力区間を流れる線電流は、同調して変化を起こす。この時、電流信号サンプリングユニット２１は、アーク放電電流信号を一つ取得し、この信号を判読ユニット２３へ伝送する。その判読ユニット２３により、判断レベルＡ１、Ａ２、Ａ３が提供され、非正常電流周波数信号２ｅをフィルター検出する。判読ユニット２３は、一個或いは複数個の周波数バンドパスフィルターで構成することができ、判断レベルＡ１、Ａ２、Ａ３のバンドパスのバンド幅は、制御ユニット１１共振周波数２ｂ、制御ユニット１１共振周波数２ｂ偶数次調波２ｃ、制御ユニット１１共振周波数２ｂ奇数次調波２ｄを判定ポイントとすることができ、並びにその区間を区分する。第２図の回路フローブロック図中にも記載される、その電流信号サンプリングユニット２１は、偏差直流隔離回路２２一つを連接し、この偏差直流隔離回路２２は主に第２図に示すプル・プッシュ式昇圧ユニット１３ａ、１３ｂ回路に使用される。二つの昇圧ユニット１３ａ、１３ｂが偏差直流を産生する時（圧電式変圧器を例にとると、異なる位相のもと、変形量が異なるため偏差直流信号を産生する）、この時の判定ポイントを更に偏差直流レベル２ａに加えることができ、その判断レベルＡ１、Ａ２、Ａ３内における周波数を非正常電流周波数信号２ｅとみなす（第３図のスペクトル図を参照のこと）。そして、この非正常電流周波数信号２ｅは、将来、整流ユニット２５で整流された後、アーク直流比較信号を出力し、その非正常電流周波数信号２ｅをより正確に判読する。つまり、第２図に示すように、その判読ユニット２３はその整流ユニット２５との間に、直流比較レベルユニット２４が一つ設置され、非正常電流周波数信号２ｅが産生する時に、定電位パルス信号を出力する。この信号は整流された後、アーク直流信号を出力し、フリップフロップ或いはシリコン整流器とすることができる、タッチユニット２６を駆動する。このタッチユニット２６により、タッチ信号を制御ユニット１１或いは駆動ユニット１２へ出力し、その高圧出力区間を閉鎖し、動作を停止して、アーク放電の回避を達成する。そのタッチユニット２６がトランジスタ等切替スイッチタイプ設計の場合、このアーク直流信号を受けて駆動し、その高圧出力区間をただちに閉鎖する事ができる。このほか、その整流ユニット２５は、さらにその直流比較レベルユニット２４が出力する定電位パルス信号に対応して、コンデンサを一つ設置する。そして判読ユニット２３が出力する非正常電流周波数信号２ｅを、単一信号或いは偶発信号とすると共に、本当にアーク放電が産生した連続信号ではないとする。つまり、そのコンデンサがその定電位パルス信号を受けても、放電レベルに達さない場合、アーク直流信号は出力されず、タッチユニット２６を駆動しない。このことにより、本考案の電流探査モードの保護メカニズムをさらに正確に達成する事ができる。
【図面の簡単な説明】
【００１２】
【図１】本考案の第１実施回路のフロー図である。
【図２】本考案の第２実施回路のフロー図である。
【図３】本考案のスペクトル図である。
【符号の説明】
【００１３】
１０  電源ユニット
１１  制御ユニット
１２  駆動ユニット
１３ａ、１３ｂ  昇圧ユニット
１４  負荷
２１  電流信号サンプリングユニット
２２  偏差直流隔離回路
２３  判読ユニット
２４  直流比較レベルユニット
２５  整流ユニット
２６  タッチユニット
Ａ１、Ａ２、Ａ３  判断レベル
２ａ  偏差直流レベル
２ｂ  共振周波数
２ｃ  偶数次調波
２ｄ  奇数次調波
２ｅ  非正常電流周波数信号
【図１】
0003118849.tif 000003
【図２】
0003118849.tif 000004
【図３】
0003118849.tif 000005